(57)【要約】【課題】  本発明は、外部から供給されるガスによって連続運転することができると共に、液体燃料を連続して燃料電池に供給することができる経済効率に優れたポンプおよびこれを用いた液体燃料供給システムを提供すること。【解決手段】  本発明の第１の実施の形態のポンプ１の第２ポンプ室５ｂは、ガスが注入されて圧力上昇すると、ダイアフラム７が第１ポンプ室側に変位して、第１ポンプ室内に吸入した流体を他方側の流路２ｂに吐出すると共に、第２ポンプ室５ｂ内のガスが外部に排出されて第２ポンプ室５ｂが減圧され、この第２ポンプ室５ｂの減圧でダイアフラム７が第２ポンプ室５ｂ側に変位し、第１ポンプ室５ａに一方側の流路２ａから流体が吸入されるようになっている。【選択図】        図１
2006127802.tif 000002
【特許請求の範囲】
【請求項１】
流体が流れることができる流路と、前記流体を一方側の流路から吸入して他方側の流路に吐出可能なポンプ室とを備え、前記ポンプ室は、所定の振幅で変位可能なダイアフラムによって第１ポンプ室と第２ポンプ室とに仕切られて、前記流体は、前記一方側の流路から前記第１ポンプ室に吸入可能になっていると共に、前記他方側の流路に吐出可能になっており、前記第２ポンプ室には、外部から所定のガスを注入可能になっており、
前記第２ポンプ室は、前記ガスが注入されて圧力上昇すると、前記ダイアフラムが前記第１ポンプ室側に変位して、前記第１ポンプ室内に吸入した前記流体を前記他方側の流路に吐出すると共に、前記第２ポンプ室内の前記ガスが外部に排出されて前記第２ポンプ室が減圧され、この第２ポンプ室が減圧されると前記ダイアフラムが第２ポンプ室側に変位して、前記第１ポンプ室に前記一方側の流路から前記流体が吸入されることを特徴とするポンプ。
【請求項２】
前記第１ポンプ室には、前記一方側の流路から吸入した前記液体が前記一方側の流路に逆流するのを防止するための吸入側逆止弁と、前記他方側の流路に吐出した前記流体が前記第１ポンプ室に逆流するのを防止するための吐出側逆止弁とが形成され、前記第２ポンプ室には、前記ガスを注入するための注入口と前記ガスを排出可能な排出口とが形成されていることを特徴とする請求項１記載のポンプ。
【請求項３】
前記流体は、所定の濃度に希釈されたメタノール水溶液からなり、前記ガスは、燃料電池の発電によって生成される二酸化炭素からなり、前記生成された前記二酸化炭素は、常時前記注入口から前記第２ポンプ室に注入可能になっており、前記燃料電池の発電によって前記注入口から前記ガスが注入されて前記第２ポンプ室が前記加圧と前記減圧とが繰り返して、前記ダイアフラムが振動することにより、前記流体が前記一方側の流路から前記他方側の流路に連続して流れるようになっていることを特徴とする請求項２記載のポンプ。
【請求項４】
前記排出口は、円形状に形成し、前記ダイアフラムには、前記排出口を遮蔽可能な遮蔽部が一体形成され、前記遮蔽部の前記排出口を遮蔽する部分を円錐形状にしたことを特徴とする請求項２、または３記載のポンプ。
【請求項５】
燃料タンクに貯蔵した液体燃料から成る流体と、この流体を吸入して燃料電池に供給可能な請求項１乃至４のいずれかに記載のポンプと、前記燃料タンクと前記ポンプと前記燃料電池とを連結する流路とを備え、前記燃料タンクと前記ポンプとを前記一方側の流路で連結すると共に、前記ポンプと前記燃料電池とを前記他方側の流路で連結し、前記燃料電池の発電によって生成されるガスを前記第２ポンプ室に注入すると、前記第２ポンプ室が加圧と減圧とを繰り返し前記ダイアフラムが振動し、前記流体を前記第１ポンプを介して前記一方側の流路から前記他方側の流路に搬送して、前記燃料電池に連続供給することを特徴とする液体燃料供給システム。
【請求項６】
前記一方側の流路には、流体混合器が配設され、この流体混合器には、前記燃料タンクに貯蔵している前記液体燃料と前記燃料電池から排出される水とが流入して、前記燃料電池に供給する前記液体燃料を所定濃度に希釈するようにしたことを特徴とする請求項５記載の液体燃料供給システム。
【発明の詳細な説明】
【技術分野】
【０００１】
本発明は、液体燃料を確実に燃料電池に供給することができるポンプおよびこれを用いた液体燃料供給システムに関する。
【背景技術】
【０００２】
従来のポンプを、図６に示すような特許文献１に記載のもので説明すると、筐体５５ａ、５５ｂには、吸入流路５２ａおよび吐出流路５２ｂからなる流路５２、および台座部５３、および座グリ部５４、連絡孔６１ａ、６１ｂ等が設けられている。また、透孔５６ａ、５６ｂが形成されたメンブレンバルブ７が筐体５５ａ、５５ｂ間に狭持されて、ネジ等で筐体５５ａ、５５ｂが締結されて一体化されている。
前記流路５２の吸入流路５２ａの端部には、上部の座グリ部５４と下部の台座部５３とメンブレンバルブ５７の透孔５６ａで逆流を防止するための吸入弁（図示せず）が形成され、流路５２の吐出流路５２ｂの端部には、下の座グリ部５４とメンブレンバルブ５７の透孔５６ｂと上の台座部５３にて逆流を防止する吐出弁（図示せず）が形成されている。
【０００３】
また、上下の筐体５５ａ、５５ｂの少なくとも一方の流路５２の周縁に沿って凹部（図示せず）が形成され、この凹部にゴム等のＯリング（図示せず）が嵌め込みされている。前記Ｏリングによって、流路５２の密閉性が維持されて、流体漏れを防止できる。そして、上の筐体５５ａ上に圧電素子からなるダイアフラム（図示せず）が配設され、筐体５５ａとダイアフラムとの間にポンプ室（図示せず）が密閉されて形成されている。
【０００４】
このような従来のポンプの動作は、圧電素子からなるダイアフラムに電圧を印加すると、ダイアフラムが屈曲してポンプ室が膨張し、吐出弁が閉じられると共に、吸入弁が開いた状態となり、吸入流路５２ａから吸入された流体がポンプ室に充満する。その後ダイアフラムが縮むことでポンプ室が圧縮されると、吸入弁が閉じられると共に、吐出弁が開いた状態となり、吐出流路５２ｂから流体が外部の装置（図示せず）に供給されるようになっている。
【特許文献１】特開２００１−１７３５６８号公報
【特許文献２】特回２００３−０８３２５６号公報
【発明の開示】
【発明が解決しようとする課題】
【０００５】
しかし、特許文献１に記載の従来のポンプは、圧電素子からなるダイアフラムに電圧印可しないと、ポンプ室を圧縮／膨張を繰り返すことができなかった。
そのために、ポンプを運転するのに所定の電力を消費することになり、経済効率が悪くなり、運転コストがアップして不経済であった。
本発明は前述のような課題を解決して、外部から供給されるガスによって連続運転することができると共に、液体燃料を連続して燃料電池に供給することができる経済効率に優れたポンプおよびこれを用いた液体燃料供給システムを提供することを目的とする。
【課題を解決するための手段】
【０００６】
前記課題を解決するための第１の手段として本発明のポンプは、流体が流れることができる流路と、前記流体を一方側の流路から吸入して他方側の流路に吐出可能なポンプ室とを備え、前記ポンプ室は、所定の振幅で変位可能なダイアフラムによって第１ポンプ室と第２ポンプ室とに仕切られて、前記流体は、前記一方側の流路から前記第１ポンプ室に吸入可能になっていると共に、前記他方側の流路に吐出可能になっており、前記第２ポンプ室には、外部から所定のガスを注入可能になっており、
前記第２ポンプ室は、前記ガスが注入されて圧力上昇すると、前記ダイアフラムが前記第１ポンプ室側に変位して、前記第１ポンプ室内に吸入した前記流体を前記他方側の流路に吐出すると共に、前記第２ポンプ室内の前記ガスが外部に排出されて前記第２ポンプ室が減圧され、この第２ポンプ室が減圧されると前記ダイアフラムが第２ポンプ室側に変位して、前記第１ポンプ室に前記一方側の流路から前記流体が吸入されることを特徴とする。
【０００７】
また、前記課題を解決するための第２の手段として、前記第１ポンプ室には、前記一方側の流路から吸入した前記液体が前記一方側の流路に逆流するのを防止するための吸入側逆止弁と、前記他方側の流路に吐出した前記流体が前記第１ポンプ室に逆流するのを防止するための吐出側逆止弁とが形成され、前記第２ポンプ室には、前記ガスを注入するための注入口と前記ガスを排出可能な排出口とが形成されていることを特徴とする。
【０００８】
また、前記課題を解決するための第３の手段として、前記流体は、所定の濃度に希釈されたメタノール水溶液からなり、前記ガスは、燃料電池の発電によって生成される二酸化炭素からなり、前記生成された前記二酸化炭素は、常時前記注入口から前記第２ポンプ室に注入可能になっており、前記燃料電池の発電によって前記注入口から前記ガスが注入されて前記第２ポンプ室が前記加圧と前記減圧とが繰り返されて、前記ダイアフラムが振動することにより、前記流体が前記一方側の流路から前記他方側の流路に連続して流れるようになっていることを特徴とする。
【０００９】
また、前記課題を解決するための第４の手段として、前記排出口は、円形状に形成し、前記ダイアフラムには、前記排出口を遮蔽可能な遮蔽部が一体形成され、前記遮蔽部の前記排出口を遮蔽する部分を円錐形状に形成したことを特徴とする。
【００１０】
また、前記課題を解決するための第５の手段として本発明の液体燃料供給システムは、燃料タンクに貯蔵した液体燃料から成る流体と、この流体を吸入して燃料電池に供給可能な請求項１乃至４のいずれかに記載のポンプと、前記燃料タンクと前記ポンプと前記燃料電池とを連結する流路とを備え、前記燃料タンクと前記ポンプとを前記一方側の流路で連結すると共に、前記ポンプと前記燃料電池とを前記他方側の流路で連結し、前記燃料電池の発電によって生成されるガスを前記第２ポンプ室に注入すると、前記第２ポンプ室が加圧と減圧とを繰り返し前記ダイアフラムが振動し、前記流体を前記第１ポンプを介して前記一方側の流路から前記他方側の流路に搬送して、前記燃料電池に連続供給することを特徴とする。
【００１１】
また、前記課題を解決するための第６の手段として、前記一方側の流路には、流体混合器が配設され、この流体混合器には、前記燃料タンクに貯蔵している前記液体燃料と前記燃料電池から排出される水とが流入して、前記燃料電池に供給する前記液体燃料を所定濃度に希釈するようにしたことを特徴とする。
【発明の効果】
【００１２】
本発明のポンプの第２ポンプ室は、ガスが注入されて圧力上昇すると、ダイアフラムが第１ポンプ室側に変位して、第１ポンプ室内に吸入した流体を他方側の流路に吐出すると共に、第２ポンプ室内のガスが外部に排出されて第２ポンプ室が減圧され、この第２ポンプ室が減圧されるとダイアフラムが第２ポンプ室側に変位して、第１ポンプ室に一方側の流路から流体が吸入されるので、第２本ポンプ室にガスを連続して供給することで、ポンプを連続運転することができ、電力等が不要となり、経済的なポンプを提供できる。
【００１３】
また、第１ポンプ室には、吸入側逆止弁と吐出側逆止弁とが形成され、第２ポンプ室には、注入口と排出口とが形成されているので、流体を逆流することなく第１ポンプ室に吸入、及び第１ポンプ室から吐出することができると共に、第２ポンプ室にガスを注入及び排出することができる。
【００１４】
また、燃料電池の発電によって注入口からガスが注入されて第２ポンプ室が加圧と減圧とを繰り返して、ダイアフラムが振動することにより、流体が一方側の流路から他方側の流路に連続して流れるようになっているので、流体を確実に一方側から他方側に搬送して供給することができる。
【００１５】
また、排出口は、円形状に形成し、ダイアフラムには、排出口を遮蔽可能な遮蔽部が一体形成され、遮蔽部の前記排出口を遮蔽する部分を円錐形状にしたので、排出口を遮蔽部で確実に遮蔽することができる。
【００１６】
また、本発明の液体燃料供給システムは、燃料タンクとポンプとを一方側の流路で連結すると共に、ポンプと燃料電池とを他方側の流路で連結し、燃料電池の発電によって生成されるガスを第２ポンプ室に注入すると、第２ポンプ室が加圧と減圧とを繰り返しダイアフラムが振動し、流体を第１ポンプを介して一方側の流路から他方側の流路に搬送して、燃料電池に連続供給するので、電力を使わなくても運転可能なポンプによって液体燃料を供給することができ、経済効率に優れた液体燃料供給システムを提供できる。
【００１７】
また、一方側の流路には、流体混合器が配設され、この流体混合器には、燃料タンクに貯蔵している液体燃料と燃料電池から排出される水とが流入して、燃料電池に供給する液体燃料を所定濃度に希釈するようにしたので、燃料電池から排出される水を再利用することができ、更に経済効率が良い。
【発明を実施するための最良の形態】
【００１８】
本発明のポンプおよびこれを用いた液体燃料供給システムを図１〜図５に基づいて説明する。図１は本発明の第１の実施の形態のポンプを説明する要部断面図であり、図２は図１の動作を説明する要部断面図であり、図３は本発明の第２の実施の形態のポンプを説明する要部斜視図であり、図４は図３の動作を説明する要部断面図であり、図５は本発明の液体燃料供給システムを説明する構成図である。
【００１９】
まず、本発明に関する第１の実施の形態のポンプ１は、図１、図２に示すように、最上部に液体燃料からなる流体（図示せず）を後述する燃料電池ｘに供給可能な流路２が形成され、この流路２は、図示左側に一方側の流路２ａと図示右側の他方側の流路２ｂとが形成され、このような流路２が、上ケース３と流路壁４とで形成されている。
前記上ケース３には、一方側の流路２ａと他方側の流路２ｂとを仕切る仕切壁３ａが形成され、この仕切壁３ａの図示左側の流路壁４には、一方側の流路２ａ内の流体を後述するポンプ室５の第１ポンプ室５ａに吸入可能な吸入口４ａが形成され、図示右側の流路壁４には、一方側の流路２ａから第１ポンプ室５ａに吸入した流体を他方側の流路２ｂに吐出可能な吐出口４ｂが形成されている。
【００２０】
また、流路壁４の下部には、内部に空洞状のポンプ室５が形成された本体ケース６が配設され、この本体ケース６は、外周部が側壁６ａに囲まれると共に、下部が底壁６ｂで遮蔽されて、上部側が吸入口４ａ、及び吐出口４ｂが形成された流路壁４によって遮蔽されている。
また、ポンプ室５は、外周部側が側壁６ａに支持されたダイアフラム７によって、図示上下に第１ポンプ室５ａと第２ポンプ室５ｂとが仕切られて形成されている。
前記ダイアフラム７は、板状で薄肉のゴム等からなり、第２ポンプ室５ｂの圧力変化に対応して所定の振幅で図示上下に変位可能になっている。
【００２１】
また、第１ポンプ室５ａには、吸入口４ａを遮蔽可能な吸入側逆止弁８が図示左側の流路壁４の下部に配設され、吸入側逆止弁８によって、一方側の流路２ａから第１ポンプ室５ａに流入した液体が、一方側の流路２ａに逆流するのを防止するようになっている。
また、上ケース３の仕切壁３ａには、吐出口４ｂを遮蔽可能な吐出側逆止弁９が取り付けられており、この吐出側逆止弁９によって、第１ポンプ室５ａから他方側の流路２ｂに吐出した液体が、第１ポンプ室５ａに逆流するのを防止するようになっている。
【００２２】
また、第２ポンプ室５ｂは、本体ケース６の図示右側の側壁６ａに、後述するガスを注入するための注入口６ｃが貫通形成去れると共に、底壁６ｂには、第２ポンプ室５ｂに注入した前記ガスを排出可能な排出口６ｄとが形成されている。
また、ダイアフラム７の中央部付近には、円柱状で先端部が円錐形状に形成された遮蔽部材１０が接着剤等で一体化されている。
前記遮蔽部材１０は、ゴム等の弾性部材からなり、先端部の円錐形状の部分が、円形状の排出口６ｄを遮蔽可能になっている。
【００２３】
このような構成の本発明の第１の実施の形態のポンプ１の動作を、図１、図２を用いて説明すると、ガスが排出口６ｄから排出されて第２ポンプ室５ｂが外気圧と略同程度まで減圧されると、ダイアフラム７が降下する。
すると、第１ポンプ室５ａの吸入側逆止弁８と吐出側逆止弁９とがそれぞれ下方に変位して、吸入口４ａが開放されると共に、吐出口４ｂが遮蔽されて、一方側の流路２ａにある液体燃料である流体が第１ポンプ室５ａに吸入されて、第１ポンプ室５ａ内が液体燃料で充満される。
また、排出口６ｄが遮蔽部材１０で遮蔽された状態の第２ポンプ室５ｂには、後述する燃料電池２６から連続して排出されるガスが注入されて、第２ポンプ室５ｂが外気圧より加圧されて圧力上昇する。
【００２４】
前記第２ポンプ室５ｂが加圧されて圧力上昇することで、ダイアフラム７が上方に変位して、第１ポンプ５ａの吸入側逆止弁８が吸入口４ａを遮蔽すると共に、吐出側逆止弁９が上昇して吐出口４ｂが開放される。
このことにより、第１ポンプ室５ａ内に吸入した液体燃料が他方側の流路２ｂに吐出され、この他方側の流路２ｂから。後述する燃料電池２６に液体燃料を供給することができる。
【００２５】
また、第２ポンプ室５ｂは、上方に変位したダイアフラム７によって遮蔽部材１０が排出口６ｄから離れて排出口６ｄが開放され、第２ポンプ室５ｂ内の圧力が外気圧と略同程度まで減圧される。
すると、ダイアフラム７が下方に変位して、第１ポンプ室５ａの吐出側逆止弁９が降下して吐出口４ｂを遮蔽すると共に、吸入側逆止弁８が上昇して吸入口４ａが開放される。
このことにより、一方側の流路２ａの液体燃料が第１ポンプ室５ａ内に吸入される。
【００２６】
前記第２ポンプ室５ｂに連続してガスを注入することにより、ダイアフラム７を所定の振幅で連続して振動して、一方側の流路２ａにある流体を第１ポンプ室５ａに吸入して、他方側の流路２ｂに連続して吐出することができる。
即ち、本発明のポンプ１は、後述する燃料電池２６から連続して排出される二酸化炭素からガスを第２ポンプ室５ｂに注入することで、液体燃料を連続して燃料電池２６に供給することができる。
【００２７】
このような構成の本発明の第１の実施の形態のポンプ１を用いた液体燃料供給システム２１を図５に基づいて説明すると、図示左側の燃料タンク２２とポンプ１との間の一方側の流路２ａには、燃料タンク２２側から第１逆止弁２３と流体混合器２４と濃度センサ２５とが順番に連結されている。
前記燃料タンク２２には、メタノール水溶液からなる濃度の濃い液体燃料が貯蔵されており、この液体燃料は、ポンプ１によって一方側の流路２ａに吸入されて第１逆止弁２３を通過して流体混合器２４に流れ込み、この流体混合器２４内で水と混合されて所定濃度に薄められれるようになっている。
【００２８】
また、ポンプ１に連結された他方の流路２ｂは、図示右側の燃料電池２６に連結されている。前記燃料電池２６は、アノード側電極２６ａとカソード側電極２６ｂとが電解質２６ｃを挟んで形成され、ポンプ１から吐出される液体燃料は、他方側の流路２ｂを介して燃料電池２６のアノード電極２６ａに流入して発電に寄与するようになっている。
また、燃料電池２６で流入した液体燃料は、燃料電池２６の発電によって二酸化炭素からなるガスを含む第１の液体に生成され、この第１の流体が第３の流路２６ｄから第１フィルタ２７に流入するようになっている。
【００２９】
そして、第１フィルタ２７によって、第１の流体が水とガスとに分離され、ガスはポンプ１の第２ポンプ室５ｂに供給されてダイアフラム７が振動して、流体混合器２４を介して供給される液体燃料を連続して燃料電池２６に供給可能になっている。
また、第１フィルタ２７で分離されて水となった流体は、再度流体混合器２４に戻されて、燃料タンク２２から供給される濃度の濃い液体燃料の希釈用として用いられるようになっている。
【００３０】
また、発電中の燃料電池２６のカソード電極２６ｂからは微量のメタノールを含む第２の流体が生成され、この第２の流体が第４の流路２６ｅから第２フィルタ２８に流入するようになっている。
そして、第２フィルタ２８によって、第２の流体がメタノールと水とに分離されて、メタノールが第２逆止弁２９を介して流体混合器２４に戻されて再利用させるようになっている。
【００３１】
このような本発明の燃料供給システム２１は、燃料電池２６が発電中は、連続して二酸化炭素からなるガスが排出されるので、このガスをポンプ１の第２ポンプ室５ｂに導いて、ダイアフラム７を振動させることで、燃料タンク２２から吸引して流体混合器２４で所定の濃度に希釈した液体燃料を、燃料電池２６に連続して供給することができる。
そのために、本発明のポンプ１は、燃料電池２６から排出されるガスを用いることで、ダイアフラム７を振動させて、連続して運転することができ、従来のような圧電素子のような電力を使用しなくても良く、環境を妨げることがない。
【００３２】
また、本発明の第２の実施の形態のポンプ３１を、第１の実施の形態のポンプ１と異なる部品についてのみ説明すると、第２の実施の形態のポンプ３１は、図３、図４に示すように、ゴム等の薄板状のダイアフラム３２の下部に、ゴム等で形成された弾性変形可能な遮蔽部材３３が接着剤等で一体化されている。
前記遮蔽部材３３は、断面側面視の形状が略Ｌ字状に形成されて、ダイアフラム３２に接着される変位部３３ａと、この変位部３３ａから直角状に下方に延びる遮蔽部３３ｂとが形成されている。
【００３３】
前記遮蔽部材３３は、本体ケース３４の図示右側の側壁３４ｂの内面との間に所定寸法の隙間が形成され、この隙間部分にダイアフラム３２に弛み部３２ａが形成されて、ダイアフラム３２が遮蔽部材３３と共に上下に振動可能になっている。また、本体ケース３４の底壁３４ａには、注入口３４ｃが形成され、右側の側壁３４ｂには排出口３４ｄが形成されている。
そして、遮蔽部材３３と本体ケース３４底壁３４ａとの間に第２ポンプ室３５が形成され、この第２ポンプ室３５に注入口３４ｃから燃料電池２６からガスが注入可能になっている。
【００３４】
このような構成の本発明の第２の実施の形態のポンプ３１の動作を、図３、図４を用いて説明すると、ガスが排出口３４ｃから排出されて第２ポンプ室３５が外気圧と略同程度まで減圧されると、遮蔽部材３３と共にダイアフラム３２が降下する。
このことにより、吸入側逆止弁８と吐出側逆止弁９とが、それぞれ下方に変位して、吸入口４ａが開放されると共に、吐出口４ｂが遮蔽されて、一方側の流路２ａにある液体燃料である流体が第１ポンプ室５ａに吸入されて、第１ポンプ室５ａが液体燃料で充満される。
また、第２ポンプ室３５には、後述する燃料電池２６から連続して排出されるガスが注入口３４ｃを介して注入されて、第２ポンプ室５ｂ内が外気圧より加圧されて圧力上昇する。
【００３５】
前記第２ポンプ室３５内にガスが注入されて第２ポンプ室３５内が加圧されて圧力上昇することで、遮蔽部材３３を介してダイアフラム３２が上方に変位し、吸入側逆止弁８が吸入口４ａを遮蔽すると共に、吐出側逆止弁９が吐出口４ｂを開放する。このことにより、第１ポンプ室５ａ内に充満されている液体燃料が他方側の流路２ｂに吐出される。
【００３６】
また、第２ポンプ室３５は、遮蔽部材３３を介してダイアフラム３２が上方に変位することにより、遮蔽部３３ｂと底壁３４ａとの間に隙間が形成され、この隙間から第２ポンプ室３５内の圧力上昇したガスが逃げて、排出口３４ｄから外部に排出される。
このことにより、第２ポンプ室３５内の圧力が外気圧と略同程度まで減圧されて、遮蔽部材３３を介してダイアフラム３２が下方に変位して、第１ポンプ室５ａの吐出側逆止弁９が吐出口４ｂを遮蔽すると共に、吸入側逆止弁８が吸入口４ａを開放して、一方側の流路２ａの液体燃料が第１ポンプ室５ａ内に吸入される。
【００３７】
前記第２ポンプ室３５に連続してガスを注入することにより、ダイアフラム３２が所定の振幅で振動して、一方側の流路２ａにある液体燃料を、他方側の流路２ｂに連続して吐出することができる。
尚、本発明の第１、第２の実施の形態のダイアフラム７、３２をゴム等弾性変形可能な薄板で説明したが、図示上下方向に所定の振幅で変位可能なフレキシブル基板等に使用するフィルムからなるものでも良い。
また、本発明の第１、第２の実施の形態の遮蔽部材１０、３３をゴム等で説明したが、軟質の合成樹脂でも良い。
【図面の簡単な説明】
【００３８】
【図１】本発明の第１の実施の形態のポンプを説明する要部断面図である。
【図２】図１の動作を説明する要部断面図である。
【図３】本発明の第２の実施の形態のポンプを説明する要部斜視図である。
【図４】図３の動作を説明する要部断面図である。
【図５】本発明の液体燃料供給システムを説明する構成図である。
【図６】従来のポンプを説明する要部分解斜視図である。
【符号の説明】
【００３９】
１  本発明の第１の実施の形態のポンプ
２  流路
２ａ  一方側の流路
２ｂ  他方側の流路
３  上ケース
４  流路壁
４ａ  吸入口
４ｂ  吐出口
５  ポンプ室
５ａ  第１ポンプ室
５ｂ  第２ポンプ室
６  本体ケース
６ｃ  注入口
６ｄ  排出口
７  ダイアフラム
８  吸入側逆止弁
９  吐出側逆止弁
１０  遮蔽部材
２１  液体燃料供給システム
２２  燃料タンク
２６  燃料電池
【図１】
2006127802.tif 000003
【図２】
2006127802.tif 000004
【図３】
2006127802.tif 000005
【図４】
2006127802.tif 000006
【図５】
2006127802.tif 000007
【図６】
2006127802.tif 000008